(57)【特許請求の範囲】
【請求項１】
ストライク本体１６内に、第１バネ部材２０により常時掛合方向へ付勢された掛合部材１９を昇降動自在に設け、またストライク本体１６内に、掛合部材１９の係合部３１に遊びを持った状態で係合するストッパー部３８と鎌片用窓３２へと臨む鎌片受け部３９とを有する鎌片追従ストッパー片３５を軸支し、該鎌片追従ストッパー片３５は、第１バネ部材よりもバネ力が強く設定された第２バネ部材４０により掛合部材１９を押し戻す方向へ常時付勢されていると共に、掛合時鎌片８の押圧力によって鎌片８の動きに共働的に追従し、一方、該鎌片追従ストッパー片３５に追従して鎌片用窓３２へと摺動する掛合部材１９は、引戸１を閉じた際に戸枠１５と引戸との間に若干の間隙ａが生じていても、掛合時鎌片８を係止する鉤状先端部２８を有していることを特徴とする引戸用鎌錠のストライク。
【請求項２】
請求項１に於いて、掛合部材１９の鉤状先端部２８には傾斜状掛合面２９が形成され、一方、鎌片８の先端部８ａには、掛合時前記傾斜状掛合面２９に面接触するテーパ面１３が形成されていることを特徴とする引戸用鎌錠のストライク。
【請求項３】
請求項１又は請求項２に於いて、掛合部材１９は、ストライク本体１６の前面板１８の内壁面と面接触する垂直スライド前面２１を有するブロック体であることを特徴とする引戸用鎌錠のストライク。
【発明の詳細な説明】
【０００１】
【発明の属する技術分野】
本発明は、引戸用鎌錠のストライクに関する。
【０００２】
【従来の技術】
引戸用の鎌錠（戸先錠）は、引戸の縦框に取り付けられる。この鎌錠は錠ケース内にシリンダーダルマ又はサムターンダルマの駆動力によって掛合方向へと出没自在に回転する鎌片を備えている。一方、鎌片が係脱するストライクは、引戸用の戸枠に適宜に組込まれている。
【０００３】
この種の戸先錠（鎌錠）を有する引戸は、戸枠に嵌めむ場合に、地震などの揺れを考慮し、普通一般に若干の間隙を設けている。この間隙は、例えば１ｍｍ〜５ｍｍ程度である。このような場合、引戸を閉じた際に鎌片は、戸枠と引戸との間隙の大小に拘わらず、いわゆるガタがなく掛合部材に係止されるのが望ましい。
【０００４】
一方、引戸如何によっては、いわゆる跳ね返り現象が生じる場合がある。このような場合に於いて、しばしば若干の隙間があるのにも拘わらず、鎌片をストライクの掛合部材に掛け合わせる時がある。このような時、シリンダーダルマ又はサムターンダルマを強制的に回すのではなく、引戸を単に閉めるだけで所望の掛合状態を達成することができれば問題はない。
【０００５】
そこで、現在、複雑な構成を採用することなく、上述した幾つかの要望を満たすことができる引戸用鎌錠のストライクの出現が期待されている。
【０００６】
【発明が解決しようとする課題】
本発明の第１の目的は、戸枠と引戸との間隙の大小に拘わらず、鎌片をいわゆるガタなく掛合部材に係止させることができることである。第２の目的は、引戸を閉めた場合に於いて、戸枠と引戸との隙間が大き過ぎた時、シリンダーダルマ又はサムターンダルマを強制的に回すのではなく、引戸を単に閉めるだけで所望の掛合状態を達成することができることである。第３の目的は、構成する部品点数を少なくすることである。第４の目的は、鎌錠装置の取り付け作業の効率化を図ることができることである。
【０００７】
【課題を解決するための手段】
本発明の引戸用鎌錠のストライクは、引戸１に取付けられた錠ケースに出没自在に設けられた回動鎌片８を係止するために戸枠１５に組込まれた引戸用鎌錠のストライクに於いて、ケース状のストライク本体１６内に、第１バネ部材２０により常時掛合方向へ付勢された掛合部材１９を昇降動自在に設け、またストライク本体１６内に、前記掛合部材１９に形成した係合部３１に遊びを持った状態で係合するストッパー部３８と鎌片用窓３２へと臨む鎌片受け部３９とを有する鎌片追従ストッパー片３５を軸支し、該鎌片追従ストッパー片３５は、前記第１バネ部材よりもバネ力が強く設定された第２バネ部材４０により掛合部材１９を押し戻す方向へ常時付勢されていると共に、掛合時鎌片８の押圧力によって鎌片８の動きに共働的に追従し、一方、該鎌片追従ストッパー片３５に追従して鎌片用窓３２へと摺動する掛合部材１９は、引戸１を閉じた際に戸枠１５と引戸との間に若干の間隙ａが生じていても、掛合時鎌片８を係止する鉤状先端部２８を有していることを特徴とする引戸用鎌錠のストライク。
【０００８】
上記構成に於いて、掛合部材１９の鉤状先端部２８には傾斜状掛合面２９が形成され、一方、鎌片８の先端部８ａには、掛合時前記傾斜状掛合面２９に面接触するテーパ面１３が形成されていることを特徴とする。
【０００９】
【発明の実施の形態】
図１乃至図５により本発明の実施形態の第１実施例を説明する。まず１は鎌錠Ｘを有する引戸、２は引戸１の縦框に内装された錠ケースで、該錠ケース２は鎌錠Ｘの構成の一部を成す。３は錠ケースの開口部４側に固定されたフロント、５は制御部材の一例としてのサムターン本体、６はサムターンダルマ、７は制御部材によって制御される駆動部材、８は駆動部材によって回転する鎌片である。なお、前記制御部材５，６と駆動部材７は、説明の便宜上の区分けに過ぎないので、両部材を制御又は駆動部材と称しても良い。
【００１０】
次に前記各部材について簡単に説明する。引戸１は、本実施例では「戸先錠」と称されるものを意味する。したがって、錠ケース２に出没自在に設けられた鎌片８は、戸枠側に設けられたストライクＹの掛合部材１９に係脱する。錠ケース２は、室内側に仮想線で示すサンターン本体５を、一方、室外側にキーによって回転する図示しないシリンダーを備えている。サムターンダルマ６は中心部に係合孔を有すると共に、その同芯円上の一部に制御ギヤ６ａが設けられている。駆動部材７はサムターンダルマ６と鎌片８との間に介在し、かつ、錠ケース２に横設軸架された固定横軸９に軸支されている。駆動部材７は半径方向へ多少突出する駆動腕７ａ及び前記制御ギヤ６ａに噛合するセクターギヤ７ｂを有している。
【００１１】
鎌片８は、固定支軸１０に軸支され、フロント３から突出する先端部８ａ、該先端部に連設する首部８ｂ、該首部に連設する後端部８ｃに区分けされている。図１を基準にすると、鎌片８の後端部８ｃには斜め方向に案内長孔１１が形成され、該案内長孔１１には駆動部材の駆動ピン１２が遊嵌合している。このように引戸１には錠ケース，制御部材，駆動部材，鎌片などから構成されている鎌錠Ｘが設けられている。
【００１２】
一方、戸枠１５には鎌片の受け部材であるストライクＹが取付けられている。このストライクＹは、本実施例では、ケース状の固定枠１７及び該固定枠１７の開口部に固定された前面板１８とから成るストライク本体１６と、このストライク本体１６内に摺動自在に設けられた掛合部材１９と、この掛合部材１９を鎌片８の掛合う方向へ付勢する第１バネ部材２０と、この第１バネ部材よりもバネ力が強い第２バネ部材によって常時一定方向へと付勢され、かつ、ストライク本体１６内に軸支された鎌片追従ストッパー片３５とから構成されている。
【００１３】
そこで、主たる構成部材について説明する。まず掛合部材１９は、図１，図３等で示すようにストライク本体１６の前面板１８の内壁面と面接触する垂直スライド前面２１を有する。またこの垂直スライド前面２１と交差する後部水平面（図２を基準にすると上部の面に相当）２２を有し、この後部水平面２２にはバネ部材２０の下端部を支持する計２個のバネ用支持穴２５が形成されている。また後部水平面２２及び垂直スライド前面２１に交差する左右の側壁面２３，２３を有する。図３で示すように垂直スライド前面２１の左右縁部２７，２７は、左右の側壁面２３，２３から突出し、これらの摺動凸条２７，２７は、ストライク本体１６の固定枠左右側壁部１７ｂ，１７ｂに形成した案内切欠部２６，２６にそれぞれ係合している。また垂直スライド前面２１の先端部（図２を基準にすると下部に相当）２８は背面部に向かって鉤状に形成されている。そして、該鉤状先端部２８には、ストライク本体１６の固定枠背面部１７ａの下部に指向する、或いは斜め方向に傾斜する掛合面２９が形成されている。この傾斜状掛合面２９は掛合時鎌片８の先端部８ａのテーパ面１３と面接触する。さらに、掛合部材１９は、背面部３０に後述する鎌片追従ストッパー片の板状ストーパー部と遊び状態で係合する係合部（切欠部，係合溝，係合突起など）３１を有する。なお、３２はストライク本体１６に形成された鎌片用窓で、この鎌片用窓３２のの開口幅は、掛合面２９の係合幅を考慮してやや幅広に形成されている。
【００１４】
次に鎌片追従ストッパー片３５は、ストライク本体１６内の適宜箇所、本実施例ではストライク本体１６の上部寄りの部位に横設軸架された横軸３６に枢支されている。鎌片追従ストッパー片３５は、図３で示すように左右に筒状軸受け部３７，３７を有し、これらの筒状軸受け部３７，３７には、掛合部材１９の係合部３１に係合する板状ストッパー部３８が設けられている。この板状ストッパー部３８は、第１バネ部材２０のバネ力により鎌片用窓３２へと移動しようとする掛合部材１９を停止させる支持機能を有している。一方、筒状軸受け部３７，３７には、鎌片用窓３２に臨むように延びる長板状鎌片受け部３９が設けられている。この長板状鎌片受け部３９は、前記板状ストッパー部３８に対して鋭角に設定されている。
【００１５】
最後に横軸３６に装着された第２バネ部材４０の中央部４０ａは、前記筒状軸受け部３７，３７内の空間部に位置している。そして、一端部４０ｂはストライク本体１６内に掛け渡したバネ端受け用支持ピン４１に支持され、他端部４０ｃは鎌片追従ストッパー片３５の板状ストッパー部３８の背面に圧接している。
【００１６】
ところで、鎌片追従ストッパー片３５を付勢する第２バネ部材４０のバネ力は、掛合部材１９を付勢する第１バネ部材のバネ力も強く設定されている。したがって、鎌片追従ストッパー片３５は、図２で示すように非掛合状態の場合には、第２バネ部材４０のバネ力により掛合部材１９を押し戻す方向（図２では上方方向）へ付勢している。
【００１７】
上記構成においては、引戸１と戸枠１５との間に若干の隙間ａ、例えば１ｍｍ，３ｍｍ，５ｍｍがあっても、つまり、引戸１を閉めた場合において、引戸１と戸枠１５との間に若干の隙間ａがあっても、間隙ａの大小に拘わらず、ガタなく鎌片８を掛合部材１９に係止させることができる（図５参照）。
【００１８】
図４は引戸１を閉じた時、隙間ａが、例えば３ｍｍ程度ある場合を想定した説明図である。この場合鎌片８が制御部材（サムターンダルマ，シリンダーダルマ等）５及び駆動部材７の駆動力により時計方向へ回転すると、まず先端部８ａが窓３２に入り込み、次いで長板状鎌片受け部３９に当たる。この時先端部８ａのテーパ面１３と掛合部材１９の傾斜状掛合面２９とは相当離れている。
【００１９】
そこで、鎌片８が施錠方向へと回り続けると、鎌片追従ストッパー片３５は先端部８ａに押される格好になるから、鎌片８の押圧力によって鎌片８の動きに共働的に追従し、かつ、第２バネ部材４０のバネ力に抗して時計方向に回転する。鎌片追従ストッパー片３５が鎌片８に押されて回転すると、掛合部材１９も鎌片追従ストッパー片３５の動きに追従するので、そのストッパー部３８は回転量に対応して下方方向へ傾き、その分掛合部材１９は第１バネ部材のバネ力あるいは自重により下降する。
【００２０】
ところで、本実施例では、鎌片追従ストッパー片３５の板状ストッパー部３８は、掛合部材１９の切欠状係合部３１に遊びを持った状態で係合しているので、鎌片８に押されても何らの障害もなく「スムース」に回転する。したがって、図４は主たる構成部材８，３５，１９がそれぞれシンプルな構成でスムースに動く途中状態を示している。そして、図５は鎌片８がさらに回転して施錠状態になった場合を示す。この場合掛合部材１９は鎌片８の先端部８ａにより第１バネ部材２０のバネ力に抗して押し上げられている。したがって、鎌片８は、図５で示すように間隙ａの大小に拘わらず、ガタがなく掛合部材１９の掛合面２４に係止される。
【００２１】
またこの実施例では、引戸１をさらに閉めることが可能な場合（例えば間隙が１ｍｍ程度までＯＫの場合）、引戸１を手で引き寄せることが可能である。図１は引戸１を引き寄せた場合において、鎌片８の先端部８ａが鎌片受け部３９をさらに押し込みつつ、かつ、該先端部８ａのテーパ面１３が掛合部材１９の掛合面２９を接線方向へとスライドした場合を示している。この場合でも鎌片８の先端部８ａは、掛合部材１９の掛合面２９から外れることなく、掛合部材１９に係止されている。このように、本実施例では引戸１の引き寄せが可能な場合にも、鎌片８は隙間（引戸の閉鎖位置）ａに対応してガタなく掛合部材１９の掛合面２９に係止される。
【００２２】
【実施例】
本実施例では、掛合部材１９の掛合面２９は、図１を基準にすると下向きであるが、これは鎌片８との係合関係を考慮したものである。したがって、鎌片８の取付け如何によって鎌片８の先端部８ａが下向きに係合する場合には、当然掛合部材８の向きも変わる。
【００２３】
【発明の効果】
以上の説明から明らかなように、本発明にあっては、次に列挙するような作用・効果がある。
（１）掛合部材にバネ部材のバネ力が常に作用しているので、間隙ａの大小に拘わらず、掛合部材は鎌片に密着する。したがって、引戸を閉じた際に間隙ａがあっても、鎌片は間隙ａの大小に拘わらず、いわゆるガタがなく掛合部材の掛合面に係止される。特に鎌片８の先端部８ａに、掛合時鎌片８の傾斜状掛合面と面接触するテーパ面が形成されているので、ガタを防止する効果が大きい。
（２）引戸をさらに閉めることが可能な場合（例えば間隙が１ｍｍ程度までＯＫの場合）には、引戸を単に手で引き寄せることが可能である。この場合掛合部材の掛合面が傾斜状に形成されているので、隙間を所望する位置まで小さくすることができる。
（３）構成する部品点数を少なくすることができる。
（４）鎌錠装置の取り付け作業の効率化を図ることができる。
（５）鎌片追従ストッパー片のストッパー部は、掛合部材の切欠状係合部に遊びを持った状態で係合しているので、鎌片追従ストッパー片は、鎌片に押されても何らの障害もなく「スムース」に回転する。主たる構成部材８，３５，１９がそれぞれシンプルな構成で合理的かつスムースに作動する。
【図面の簡単な説明】
図１乃至図５は本発明の一実施例を示す各説明図。
【図１】発明の実施形態の一例を示す概略説明図（引戸を手で引き寄せた場合における掛合状態の一例）。
【図２】図１に対し、鎌片が掛合部材から外れた状態の一例を示す概略説明図。
【図３】主要部材の分解斜視図。
【図４】引戸を閉めた場合において、隙間がある状態で鎌片を掛合方向へ回転させた場合の中途状態の作動を示す説明図。
【図５】図４において、鎌片が掛合部材に掛合した場合の一例を示す概略説明図。
【符号の説明】
Ｘ…鎌錠、Ｙ…ストライク、
１…引戸、２…錠ケース、３…フロント、５…制御部材、６…サムターンダルマ、７…駆動部材、８…鎌片、９…固定横軸、１０…固定支軸、１１…案内長孔、１２…駆動ピン、１３…テーパ面、１５…戸枠、１６…ストライク本体、１７…固定枠、１８…前面板、１９…掛合部材、２０…第１バネ部材、２１…垂直スライド前面、２６…案内切欠部、２７…摺動凸条、３０…背面部、３１…係合部、３２…鎌片用窓、２９…掛合面、３５…鎌片追従ストッパー片、３６…横軸、３７…軸受け部、３８…ストッパー部、３９…鎌片受け部、４０…第２バネ部材、４１…支持ピン、ａ…間隙。
【図１】
0004221136.tif 000002
【図２】
0004221136.tif 000003
【図３】
0004221136.tif 000004
【図４】
0004221136.tif 000005
【図５】
0004221136.tif 000006